(57)【要約】      （修正有）【課題】積み替え作業が省略でき、作業員の手間が半減し、その分作業時間が短縮でき作業の安全性も向上する間伐材の搬送装置を提供する。【解決手段】間伐材の搬送方向変換位置近傍の立木に固定されて主索を支持する主索コーナーガイド２００、その主索コーナーガイドに組み付けられ引揚索を支持する引揚索ガイド３００及び主索と引揚索ガイドに支持・誘導されて間伐材を搬送するキャリア１００から成り、搬送途中に搬送方向を略直角方向（最大）へ方向転換を可能にする機能を有する。主索を支持する主索サポート及び引揚索を支持する引揚索ガイド３００並び搬送角度調整用の主索張り角度調整ピースが組み付けられた状態で、ナイロンスリングにて立木に固定され、キャリア１００が通過する際にその進行方向を略直角（最大）方向に変更する機能を有する主索コーナーガイド２００で構成されている。【選択図】図１
0003189933.tif 000002
【実用新案登録請求の範囲】
【請求項１】
搬送方向を搬送途中で略直角方向への変更を可能にする機能を有す主索コーナーガイド。
【請求項２】
直線搬送部に設置され、主索を支持し、緩みを低減する機能を有す主索支持金具。
【請求項３】
請求項１の主索コーナーガイド及び請求項２の主索支持金具に組み付けて使用され、引揚索を誘導する機能を有す引揚索ガイド。
【請求項４】
請求項１、請求項２及び請求項３の各部品に適応する構造を有し、間伐材を搬送する機能を有すキャリア。
【考案の詳細な説明】
【技術分野】
【０００１】  この考案は、伐採した間伐材を伐採地から所定の集材場まで搬送する装置に関する。
【背景技術】
【０００２】  伐採した間伐材を所定の集材場まで搬送する１方法として、土佐の森方式（軽架線型の搬送方式）がある。この方式は主索を搬送起点から搬送終点まで架設し、それにキャリア（搬機）を搭載し、キャリアの下部に引揚索を通してウインチで引揚索を巻き上げることにより、引揚索に固定された間伐材をキャリアと共に搬送する方式である。
間伐材の配列（伐採列）と集材場との位置関係、山間地の地形等の理由で伐採地点から集材場まで一直線に間伐材を搬送するのは困難なため、殆どの場合に搬送方向を一度変更する必要がある。
従来のこの軽架線型の搬送方式は直線搬送しか出来ないため、まず伐採地から間伐材を引揚索に固定しキャリアを介して中継地点までウインチで引き揚げてそこで一旦材降しをする（１次搬送）。
次に、中継地点で搬送方向を変更するため、間伐材を再度引き揚げ索に固定しキャリアを介して集材場まで搬送する（２次搬送）。
そのため、中継点での間伐材の材降し及び積み替え作業が必要となっている。
また、主索は中継点で立木に固定されたシーブを介して２次搬送方向に方向変更できるため１本でよいが、引揚索は１次搬送用と２次搬送用にそれぞれ１本架設する必要があり、キャリア及び引揚用ウインチもそれぞれ２台使用している。【０００３】  他の架線型搬送方式としては、例えば特許文献１及び特許文献２等に記載されたものがある。特許文献１は作業用機械に搭載された一対のウインチで搬送用ワイヤの繰り出し及び巻き込みを同時にまた交互に行い作業時間の短縮を図る搬送方式に関するものである。
特許文献２は搬送用ワイヤをループ状に張り巡らし、繰り出し及び巻き込みを同時にまた交互に行う一対のウインチ及びジグザグ滑車等を用いて作業時間の短縮を図る搬送方式に関するものである。
本考案はこれらの方式とは異なる搬送方式において省力化及び搬送効率の向上を実現する装置に関するものである。
【特許文献１】特開２００５−３４１９１０
【特許文献２】特開２００８−１０９９１８
【考案の概要】
本考案は、中継点つまり方向変換する位置に主索コーナーガイドと称する部品を設置して、搬送方向に対して略直角方向（最大）への方向転換を可能にするものである。これにより、従来実施されている中継点での間伐材の荷降ろし及び積み替え作業が省略でき伐採地から集材場まで一気に搬送可能になる。
なお、キャリアの形状も主索コーナーガイドに適合した構造のものを考案し採用する。
【考案が解決しようとする課題】
【０００４】  急峻な伐採地での搬送作業は平地での作業に比べ手間が掛かりまた足場も悪く危険性も高い。この作業量を出来る限り低減することが伐採事業関係者より切望されている。
現状の搬送方式では、搬送方向を変更するために一度引揚索に固定しキャリアで搬送した伐採材を中継点で降ろし、再度引揚索に固定しキャリアで集材上まで搬送する作業が必要である。
この積み替え作業が省略できれば作業員の手間が半減しその分作業時間が短縮でき作業の安全性も向上する。
【課題を解決するための手段】
【０００５】  前記の目標達成のため、本考案では搬送途中においてを略直角方向（最大）への搬送方向変更を可能にする主索コーナーガイド、主索支持金具およびキャリアを提供する。
【考案の効果】
【０００６】  本考案により、中継点での荷降ろし及び積み替え作業が皆無となるため、作業時間が大幅に低減でき作業の安全性も向上する。更に、間伐材搬送費用（作業工数）が削減できるため収益改善も期待できる。
【考案を実施するための形態】
【０００７】  以下、本考案に係わる主索コーナーガイド、主索支持金具及びキャリアの一実施形態について図面を参照して説明する。
【０００８】  図１は本考案の主索コーナーガイド、主索支持金具及びキャリアを使用した場合の間伐材の搬送要領概要図である。逆負荷としないため、常に上方に向かって搬送する。
なお、図１では右側上方に方向変更する場合を示しているが、主索を張る方向を変えれば左側上方に方向変更する搬送も可能である。
各装置の組み付け手順及び搬送手順は下記の通りである。（Ａライン近傍の間伐材搬送の場合）
▲１▼搬送経路の設定
下記の条件を満たすような搬送経路を設定する。
・主索の支持（固定）位置には丈夫な大径の立木があること。
・搬送終点は集材場の少し上方であること。
・集材場は搬出トラックが通行できる道路の近傍にあり、仮置きや積み込み等の作業に    十分な広さがあること。
・搬送起点から搬送終点までの道中において主索は所定値以上の上り勾配を有すこと。
▲２▼主索３架設
搬送起点は立木５に、方向変更点では主索コーナーガイド２００を介して立木６に主索  ３を固定する。
主索が長い場合（特に勾配がゆるい場合）、チルホールで緊張しても弛みが十分に取れ  ず搬送に支障をきたす場合は、支持スパン中間付近の立木１４に主索支持金具４００を  設置する。
▲３▼チルホール接続、主索緊張
搬送終点では滑車１０に主索３を通し、搬送終点の後方位置にて主索３にチルホール１  １を接続し、チルホール１１は立木１２に固定する。その後、チルホール１１を操作し  て主索を緊張する。
▲４▼主索３にキャリア１００搭載
▲５▼引揚索４をキャリア１００に取付
以上で組み付けは終了し次ぎから搬送手順を示す。
▲６▼間伐材収集、搬送
間伐材１、２等を順次引揚索に固定し、林内作業車に搭載されたウインチ１３で引き    揚げる。方向変更点（主索コーナーガイド２００取付部）でキャリアは搬送方向に対    して略直角方向（最大）に自動的に方向変換され、一気に終点まで搬送される。
搬送後はウインチ１３を緩めてキャリア１００を次の間伐材収集地点まで下ろす。
Ａラインにて収集可能な範囲の間伐材を搬送し終えたら別のラインの間伐材を収集する  ように段取り替えを行う。例えばＢラインにて間伐材を収集する場合は下記手順となる  。
▲７▼主索３架設
搬送起点は立木７に、方向変更点では主索コーナーガイド２００を介して立木８に主索  ３を固定する。
主索が長い場合（特に勾配がゆるい場合）、チルホールで緊張しても弛みが十分に取れ  ず搬送に支障をきたす場合は、支持スパン中間付近の立木１４に主索支持金具４００を  設置する。
▲８▼チルホール接続、主索緊張
主索３にチルホール１１を接続し直す（接続位置を変更）。
チルホールを操作して主索を緊張後、前記のステップ▲４▼〜▲６▼と同様の手順でＢ  ラインにて収集可能な範囲の間伐材を収集し終点まで一気に搬送する。
【０００９】  図２は本考案のキャリア１００の構造図である。左上図は上方から見た平面図、左下図は正面図、右図は右側面図を示す。
主シーブ１０１（ａ、ｂ）の下方にバックアップシーブ１０２（ａ、ｂ）が配備されその間を主索３が通る構造となっている。これらのシーブはキャリア１００が主索コーナーガイド２００を通過する際に方向変換に応じて自在に旋回できる機能を有する。
キャリアが後述（図３）の主索コーナーガイド２００を通過する際にバックアップシーブ１０２（ａ、ｂ）を下方に逃がすために圧縮ばね１０３（ａ、ｂ）が設けられ、バックアップシーブ１０２（ａ、ｂ）を主シーブ１０１（ａ、ｂ）の方向（上方向）に所定の力で押し付け、主索３の脱落を防止する。躯体１０４は各構成部品を支持する部品であり下部には引揚索４を通す引揚シーブ１０５が取り付けられている。
【００１０】  図３は本考案の主索コーナーガイド２００及び引揚索ガイド３００の構造図である。
右図は上方から見た平面図、左図は左側面図を示す。
主索コーナーガイド２００はキャリア１００が通過する際にその進行方向を略直角（最大）方向に変更する機能を有している。各部品は躯体２０１に組み付けられており、躯体２０１はナイロンスリング２０７により立木に固定される。主索サポート２０２は主索３が脱落せぬよう保持する目的で設置されている。主索張り角度調整ピース２０３〜２０６は主索の張り角度即ち搬送方向変更角度の大小により、適宜着脱して使用する。これらのピースは主索の脱落防止機能も合わせ持つ。
引揚索ガイド３００は躯体２０１に組み付けられて使用される。本品はガイドシーブ３０２の部分にて引揚索４を誘導する機能を有す。引揚索サポート３０３は引揚索４の脱落防止のため設置されており、キャリア１００が通過する際には左右方向に揺動し逃げる構造となっている。キャリア１００通過後は復帰ばね３０４により元位置に自己復帰する。
【００１１】  図４は主索支持金具４００及び引揚索ガイド３００の構造図である。
右図は上方から見た平面図、左図は左側面図を示す。
主索支持金具４００は直線搬送部に設置され、主索３の過度の弛みを防止する機能を有する。各部品は躯体４０１に組み付けられており、躯体４０１はナイロンスリング４０７により立木に固定される。主索サポート４０２は主索３が脱落せぬよう保持する目的で設置されている。
引揚索ガイド３００は躯体４０１に組み付けられて使用される。本品は前述の図３の主索コーナーガイド２００に取り付けられるものと同形状で同機能を有する。
【図面の簡単な説明】
【００１２】
【図１】本考案の一実施形態での搬送要領概要図
【図２】キャリアの構造図
【図３】主索コーナーガイド及び引揚索ガイドの構造図
【図４】主索支持金具及び引揚索ガイドの構造図
【符号の説明】
【００１３】１      間伐材
２      間伐材
３      主索
４      引揚索
５      立木（Ａライン搬送起点）
６      立木（Ａライン方向変更点）
７      立木（Ｂライン搬送起点）
８      立木（Ｂライン方向変更点）
９      立木（搬送終点）
１０    滑車
１１    チルホール
１２    立木（チルホール固定）
１３    引揚ウインチ
１４    立木（主索支持金具）
１００  キャリア全体
１０１ａ、１０１ｂ  主シーブ
１０２ａ、１０２ｂ  バックアップシーブ
１０３ａ、１０３ｂ  圧縮ばね
１０４  躯体
１０５  吊上げシーブ
１０６ａ、１０６ｂ  主シーブホルダ
２００  主索コーナーガイド全体
２０１  躯体
２０２  主索サポート
２０３、２０４、２０５、２０６    主索張り角度調整ピース
２０７  ナイロンスリング
３００  引揚索ガイド全体
３０１  躯体
３０２  ガイドシーブ
３０３  引揚索サポート
３０４  復帰ばね
３０５  ガイド軸
４００  主索支持金具全体
４０１  躯体
４０２  主索サポート
【図１】
0003189933.tif 000003
【図２】
0003189933.tif 000004
【図３】
0003189933.tif 000005
【図４】
0003189933.tif 000006
【手続補正書】
【提出日】平成26年1月15日(2014.1.15)
【手続補正１】
【補正対象書類名】実用新案登録請求の範囲
【補正対象項目名】全文
【補正方法】変更
【補正の内容】
【実用新案登録請求の範囲】
【請求項１】
間伐材の搬送方向変換位置近傍の立木に固定されて主索を支持する主索コーナーガイド（２００）、その主索コーナーガイドに組み付けられ引揚索を支持する引揚索ガイド（３００）及び主索と引揚索ガイドに支持・誘導されて間伐材を搬送するキャリア（１００）から成り、搬送途中に搬送方向を略直角方向（最大）へ方向転換を可能にする機能を有すことを特徴とする間伐材の搬送装置。
【請求項２】
請求項１記載の間伐材の搬送装置において、主索を支持する主索サポート（２０２）及び引揚索を支持する引揚索ガイド（３００）並び搬送角度調整用の主索張り角度調整ピース（２０３〜２０６）が組み付けられた状態で、ナイロンスリング（２０７）にて立木に固定され、キャリア（１００）が通過する際にその進行方向を略直角（最大）方向に変更する機能を有する主索コーナーガイド（２００）で構成されていることを特徴とする間伐材の搬送装置。
【請求項３】
請求項１記載の間伐材の搬送装置において、搬送方向の変更角度に応じて自在に旋回しながら主索を支持する主シーブ（１０１ａ、１０１ｂ）とバックアップシーブ（１０２ａ、１０２ｂ）、主索コーナーガイド（２００）を通過時にバックアップシーブ（１０２ａ、１０２ｂ）を下方に逃がしつつ主索を支持する目的で組み込まれる圧縮ばね（１０３ａ、１０３ｂ）、主シーブを保持する主シーブホルダ（１０６ａ、１０６ｂ）等の部品から成り、主索コーナーガイド（２００）に誘導され所定の搬送方向変更角度で円滑に間伐材を搬送する機能を有するキャリア（１００）で構成されていることを特徴とする間伐材の搬送装置。
【手続補正２】
【補正対象書類名】明細書
【補正対象項目名】０００８
【補正方法】変更
【補正の内容】
【０００８】  図１は本考案の主索コーナーガイド、主索支持金具及びキャリアを使用した場合の間伐材の搬送要領概要図である。逆負荷としないため、常に上方に向かって搬送する。
なお、図１では右側上方に方向変更する場合を示しているが、主索を張る方向を変えれば左側上方に方向変更する搬送も可能である。
各装置の組み付け手順及び搬送手順は下記の通りである。（Ａライン近傍の間伐材搬送の場合）
▲１▼搬送経路の設定
下記の条件を満たすような搬送経路を設定する。
・主索の支持（固定）位置には丈夫な大径の立木があること。
・搬送終点は集材場の少し上方であること。
・集材場は搬出トラックが通行できる道路の近傍にあり、仮置きや積み込み等の作業に十分な広さがあること。
・搬送起点から搬送終点までの道中において主索は所定値以上の上り勾配を有すこと。
▲２▼主索３架設
搬送起点は立木５に、方向変更点では主索コーナーガイド２００を介して立木６に主索３を固定する。
主索が長い場合（特に勾配がゆるい場合）、手動ウインチ１１で緊張しても弛みが十分に取れず搬送に支障をきたす場合は、支持スパン中間付近の立木１４に主索支持金具４００を設置する。
▲３▼手動ウインチ接続、主索緊張
搬送終点では滑車１０に主索３を通し、搬送終点の後方位置にて主索３に手動ウインチ１１を接続し、手動ウインチ１１は立木１２に固定する。その後、手動ウインチ１１を操作して主索を緊張する。
▲４▼主索３にキャリア１００搭載
▲５▼引揚索４をキャリア１００に取付
以上で組み付けは終了し次ぎから搬送手順を示す。
▲６▼間伐材収集、搬送
間伐材１、２等を順次引揚索に固定し、林内作業車に搭載されたウインチ１３で引き揚げる。方向変更点（主索コーナーガイド２００取付部）でキャリアは搬送方向に対して略直角方向（最大）に自動的に方向変換され、一気に終点まで搬送される。
搬送後はウインチ１３を緩めてキャリア１００を次の間伐材収集地点まで下ろす。
Ａラインにて収集可能な範囲の間伐材を搬送し終えたら別のラインの間伐材を収集するように段取り替えを行う。例えばＢラインにて間伐材を収集する場合は下記手順となる。
▲７▼主索３架設
搬送起点は立木７に、方向変更点では主索コーナーガイド２００を介して立木８に主索３を固定する。
主索が長い場合（特に勾配がゆるい場合）、手動ウインチ１１で緊張しても弛みが十分に取れず搬送に支障をきたす場合は、支持スパン中間付近の立木１４に主索支持金具４００を設置する。
▲８▼手動ウインチ接続、主索緊張
主索３に手動ウインチ１１を接続し直す（接続位置を変更）。
手動ウインチを操作して主索を緊張後、前記のステップ▲４▼〜▲６▼と同様の手順でＢラインにて収集可能な範囲の間伐材を収集し終点まで一気に搬送する。
【手続補正３】
【補正対象書類名】明細書
【補正対象項目名】００１３
【補正方法】変更
【補正の内容】
【００１３】１      間伐材
２      間伐材
３      主索
４      引揚索
５      立木（Ａライン搬送起点）
６      立木（Ａライン方向変更点）
７      立木（Ｂライン搬送起点）
８      立木（Ｂライン方向変更点）
９      立木（搬送終点）
１０    滑車
１１    手動ウインチ
１２    立木（手動ウインチ固定）
１３    引揚ウインチ
１４    立木（主索支持金具）
１００  キャリア全体
１０１ａ、１０１ｂ  主シーブ
１０２ａ、１０２ｂ  バックアップシーブ
１０３ａ、１０３ｂ  圧縮ばね
１０４  躯体
１０５  吊上げシーブ
１０６ａ、１０６ｂ  主シーブホルダ
２００  主索コーナーガイド全体
２０１  躯体
２０２  主索サポート
２０３、２０４、２０５、２０６    主索張り角度調整ピース
２０７  ナイロンスリング
３００  引揚索ガイド全体
３０１  躯体
３０２  ガイドシーブ
３０３  引揚索サポート
３０４  復帰ばね
３０５  ガイド軸
４００  主索支持金具全体
４０１  躯体
４０２  主索サポート
４０７  ナイロンスリング